(57)【特許請求の範囲】
【請求項１】
ユーザー装置（UE）であって：
ライセンスされた共有アクセス（LSA）周波数帯域において、当該UEに前記LSA周波数帯域から一次ロングタームエボリューション（LTE）周波数帯域に移行するよう指令する、ブロードキャストされたページング・メッセージを受信し；
一次LTE周波数帯域情報を含むシステム情報を受信し；
受信したシステム情報から、前記一次LTE周波数帯域に移行するためのハンドオーバー・パラメータを抽出し；
前記LSA周波数帯域での通信を停止し、前記一次LTE周波数帯域に関連付けられた進化型ノードB（eNB）と通信を同期させるよう構成された、
プロセッサおよびトランシーバーを有する、UE。
【請求項２】
前記システム情報を、一次LTE周波数帯域情報を担持するフォーマットをもつシステム情報ブロック（SIB）において受信するようさらに構成されている、請求項１記載のUE。
【請求項３】
前記システム情報を、システム情報ブロック（SIB）SIB17において受信するようさらに構成されている、請求項１記載のUE。
【請求項４】
lsa-HandoverNeeded指示を含む前記のブロードキャストされたページング・メッセージを受領するようさらに構成されている、請求項１記載のUE。
【請求項５】
セル間ハンドオーバーのためにさらに構成された請求項１記載のUEであって、前記一次LTE周波数帯域および前記LSA周波数帯域が同じeNBにおいて共に位置している二つのセルに関連付けられている、UE。
【請求項６】
前記LSA周波数帯域が現有所有者によって取り戻し請求されたときに前記のブロードキャストされたページング・メッセージを受信するようさらに構成されている、請求項１記載のUE。
【請求項７】
前記eNBと前記LSA周波数帯域の喪失により影響を受けるUEとの間の個別のハンドオーバー・メッセージング交換を防止することによって空中信号伝達サージを防止するために前記ブロードキャストされたページング・メッセージを受信するようさらに構成されている、請求項１記載のUE。
【請求項８】
複数の同時ハンドオフを実行するよう構成された進化型ノードB（eNB）であって、当該eNBは：
移動性管理エンティティ（MME）から、ライセンスされた共有アクセス（LSA）からのハンドオーバーの要求を担持するメッセージを受信し；
受信されたLSAからのハンドオーバーの要求メッセージに応答して、LSAからのハンドオーバーのページング・メッセージM2をLSA周波数帯域で通信しているユーザー装置（UE）にブロードキャストし；
ライセンスされた共有アクセス（LSA）周波数帯域で通信しているUEに、一次ロングタームエボリューション（LTE）周波数帯域情報を含むシステム情報を担持するメッセージM3をブロードキャストし；
LSAからのハンドオーバーのタイマーT1を開始し；
UEが一次ロングタームエボリューション（LTE）帯域で当該eNBとの通信を確立したことを示すランダム・アクセス（RACH）メッセージM4を受信する、
物理層回路および処理要素を有するeNB。
【請求項９】
受信されたRACHメッセージに応答してRACH応答メッセージM5を送信するようさらに構成されている、請求項８記載のeNB。
【請求項１０】
LSAからのハンドオーバーのタイマーT1の満了後に、RACHメッセージM4が受信されていないUEがあれば該UEに対して「mobilityControlInfo」をもつ「RRConnectionReconfiguration」メッセージを個々に送信するよう構成されている伝統的なハンドオーバー・プロセスを実施するようさらに構成されている、請求項８記載のeNB。
【請求項１１】
前記システム情報を、一次LTE周波数帯域情報を担持するフォーマットをもつシステム情報ブロック（SIB）において送信するようさらに構成されている、請求項８記載のeNB。
【請求項１２】
前記システム情報を、システム情報ブロック（SIB）SIB17において送信するようさらに構成されている、請求項８記載のeNB。
【請求項１３】
lsa-HandoverNeeded指示を含むブロードキャストされたページング・メッセージを送信するようさらに構成されている、請求項８記載のeNB。
【請求項１４】
当該eNBと前記LSA周波数帯域の喪失により影響を受けるUEとの間の個別のハンドオーバー・メッセージング交換を防止することによって空中信号伝達サージを防止するために、ブロードキャストされるLSAからのハンドオーバーのページング・メッセージM2を送信するようさらに構成されている、請求項８記載のeNB。
【請求項１５】
コンピュータ・プログラムであって、機械に、
ライセンスされた共有アクセス（LSA）周波数帯域において、前記機械にLSA周波数帯域から一次ロングタームエボリューション（LTE）周波数帯域に移行するよう指令するブロードキャスト・ページング・メッセージを受信し；
一次LTE周波数帯域情報を含むシステム情報を受信し；
受信したシステム情報から、一次LTE周波数帯域に移行するためのハンドオーバー・パラメータを抽出し；
LSA周波数帯域での通信を停止し、一次LTE周波数帯域に関連付けられた進化型ノードB（eNB）と通信を同期させる、
動作を実行させるためのコンピュータ・プログラム。
【請求項１６】
前記システム情報を、一次LTE周波数帯域情報を担持するフォーマットをもつシステム情報ブロック（SIB）において受信するための命令をさらに含む、請求項１５記載のコンピュータ・プログラム。
【請求項１７】
前記システム情報を、システム情報ブロック（SIB）SIB17において受信するための命令をさらに含む、請求項１５記載のコンピュータ・プログラム。
【請求項１８】
lsa-HandoverNeeded指示を含む前記のブロードキャストされたページング・メッセージを受領するための命令をさらに含む、請求項１５記載のコンピュータ・プログラム。
【請求項１９】
前記eNBとLSA周波数帯域の喪失により影響を受けるUEとの間の個別のハンドオーバー・メッセージング交換を防止することによって空中信号伝達サージを防止するために前記ブロードキャストされたページング・メッセージを受信するための命令をさらに含む、請求項１５記載のコンピュータ・プログラム。
【請求項２０】
セル間ハンドオーバーのための命令をさらに含む、請求項１５記載のコンピュータ・プログラムであって、前記一次LTE周波数帯域および前記LSA周波数帯域が同じeNBにおいて共に位置している二つのセルに関連付けられている、コンピュータ・プログラム。
【請求項２１】
請求項１５ないし２０のうちいずれか一項記載のコンピュータ・プログラムを記憶しているコンピュータ可読記憶デバイス。
【発明の詳細な説明】
【技術分野】
【０００１】
本願は2014年5月16日に出願された米国特許出願第14/280,149号の優先権の利益を主張するものである。同出願の内容はここに参照によってその全体において組み込まれる。
【０００２】
技術分野
例は概括的にはロングタームエボリューション（LTE:  Long  Term  Evolution）ネットワークに関する。一つまたは複数の例は、LTEネットワークにおけるライセンスされた共有アクセス（LSA:  Licensed  Shared  Access）の実装に関する。
【背景技術】
【０００３】
無線通信システムは、音声、データおよび他のメディアといったさまざまな型の通信コンテンツを提供するために広く展開されている。これらのシステムは、利用可能なシステム資源（たとえば帯域幅および送信電力）を共有することによって複数のユーザーでの通信を支援することができる多重アクセス・システムでありうる。そのような多重アクセス・システムの例は、符号分割多重アクセス（CDMA:  code  division  multiple  access）システム、時分割多重アクセス（TDMA:  time  division  multiple  access）システム、周波数分割多重アクセス（FDMA:  frequency  division  multiple  access）システム、3GPPロングタームエボリューション（LTE）システムおよび直交周波数分割多重アクセス（OFDMA:  orthogonal  frequency  division  multiple  access）システムを含む。すべての多重アクセス無線通信システムは、ベアラー・サービス要件をサポートするために、利用可能な電波スペクトルへの十分なアクセスを要求する。
【発明の概要】
【発明が解決しようとする課題】
【０００４】
ライセンスされた共有アクセス（LSA）は、スペクトル不足に対処するために、ライセンスされたスペクトルへの協調された共有されたアクセスを許容することによって、利用可能なスペクトルのより効率的な使用を可能にする新しい革新的な枠組みである。現在のところ、共有されるLSAスペクトル資源の返還の間の、確立されたベアラーの効率的なハンドオフのためのプロトコルは、3GPP  LTE規格において提供されていない。このように、提案された動的な周波数共有システムの十全な恩恵を実現するためには、3GPP  LTE規格における現在のハンドオフ信号伝達に対する向上が必要とされている。
【図面の簡単な説明】
【０００５】
図面は必ずしも縮尺通りに描かれておらず、図面において同様の符号は異なる図における同様の構成要素を記述しうる。異なる文字サフィックスをもつ同様の符号は同様の構成要素の異なるインスタンスを表わしうる。図面は、一般に、限定ではなく例として、本稿で論じられるさまざまな実施形態を示している。
【図１】いくつかの実施形態に基づく、セルラー・ネットワークにおける動的な周波数共有のための高レベルのブロック図の例である。
【図２】いくつかの実施形態に基づく、例示的なライセンスされた共有アクセス（LSA）システムを示す高レベルの図である。
【図３】いくつかの実施形態に基づく、ライセンスされた共有アクセスのための短縮されるハンドオーバー遅延を示す高レベルの概観フローチャートである。
【図４】いくつかの実施形態に基づく、ライセンスされた共有アクセスのための例示的な手順を示す図である。
【図５】いくつかの実施形態に基づく、例示的な通信局の機能図である。
【図６】本稿で論じられる一つまたは複数の技法（たとえば方法）のうち任意のものが実行されうる機械の例のブロック図である。
【発明を実施するための形態】
【０００６】
以下の記述および図面は、当業者が実施できるよう個別的な実施形態を十分に例解する。他の実施形態は、構造的、論理的、電気的、プロセスおよび他の変化を組み込んでもよい。いくつかの実施形態の部分および特徴は、他の実施形態の部分および特徴に含まれたり、あるいは代用されたりしてもよい。請求項に記載される実施形態は、それらの請求項のあらゆる利用可能な等価物を包含する。
【０００７】
単語「例示的」は本稿では「例、インスタンスまたは例解のはたらきをする」ことを意味するために使われる。本稿で「例示的」と記載されているいかなる実施形態も、必ずしも他の実施形態より好まれるまたは有利であると解釈されるものではない。
【０００８】
本稿で使われるところの用語「通信局」「局」「ハンドヘルド装置」「モバイル装置」「無線装置」および「ユーザー装置」（UE）は、携帯電話、スマートフォン、タブレット、ネットブック、無線端末、ラップトップ・コンピュータ、フェムトセル、高データ・レート（HDR:  High  Data  Rate）加入者局、アクセスポイント、アクセス端末または他のパーソナル通信システム（PCS:  personal  communication  system）装置といった無線通信装置をいう。装置は移動〔モバイル〕または静止でありうる。
【０００９】
本稿で使われるところの用語「アクセスポイント」は、固定局であってもよい。アクセスポイントは、アクセスノード、基地局または当技術分野で知られている他の何らかの同様の用語で称されてもよい。アクセス端末は、移動局〔モバイル局〕、ユーザー装置（UE）、無線通信装置または当技術分野で知られている他の何らかの同様の用語で呼ばれてもよい。
【００１０】
用語「放棄する（relinquish）」「解放する（release）」および「返す／返還する（return）」は、本稿では、LSAスペクトルを現有者（incumbent）に明け渡すこと（surrender）を意味する。
【００１１】
LTEのようなセルラー・ネットワークは、装置が他の装置と接続または通信することを許容できる。現代のLTEネットワークは、不均質ネットワーク（HetNet:  Heterogeneous  Network）構成で構成された大小両方のセルを含むことができる。大セルおよび小セルの基地局（たとえば向上ノードB（eノードB））は、異なる周波数帯域で動作するよう構成されることができる。基地局が他の装置に接続するまたは他の装置と通信するためには、さまざまな型の通信コンテンツのために十分な周波数帯域、すなわちスペクトルが要求される。
【００１２】
ライセンスされた共有アクセス（LSA）は、利用可能なスペクトルを拡張するための機構を提供することによって、3GPP  LTEシステムの容量を有意に向上させることができる。現在のところ、いくつかのLTE互換スペクトル帯域（たとえば2.3GHz帯域における100MHz、2.6GHz帯域における100+MHz）がLSA用途のために考えられている。LSAスペクトル共有フレームワークは、主要なワイヤレス設備ベンダー、事業者、規制当局、政府機関および標準化団体によって強く支持され、切に待ち望まれている。この枠組みでは、現有スペクトル保有者が、そのライセンスされたスペクトルの未使用部分への、二次ユーザーの群（すなわち、ネットワーク事業者）による協調された共有アクセスを許容する。それにより、そのままでは未使用のままとなる無線スペクトルの大きな部分が、LTEネットワークに対するますます増え続けるトラフィック需要を満たすためにネットワーク事業者に対して利用可能になる。
【００１３】
利用可能なスペクトルからますます高いデータ・レートを得る進行中の革新を用いても、予想されるトラフィック増大は、モバイル・ブロードバンド事業者が、その固定したライセンスされたスペクトルではもはや需要を満たすことができないであろうことを示している。利用可能なスペクトルのプールは限られており、増大する需要とともに増大することはできないからである。LSAフレームワークは、この制限に対処するために、一次スペクトル保有者（PSH:  Primary  Spectrum  Holder）として知られる現有ユーザーが、そのライセンスされたスペクトルの未使用部分への協調されたアクセスを、二次スペクトル保有者（SSH:  secondary  spectrum  holder）の群と共有することを許容する。しかしながら、PSHはそのスペクトルへの排他的な権利を保持し、そのスペクトルをSSHから取り戻すことができる。補足スペクトルを取得するためのLSAフレームワークを使うとき、LTEネットワークは、PSHによるスペクトル取り戻し（reclamation）を優雅に受け入れることによって、利用可能なスペクトルの動的な性質に適応することが求められる。
【００１４】
LTE基地局、進化型ノードB（eNB）は、ひとたびPSHによる取り戻しが迫っていることを通知されると、LSA帯域を解放する。短い猶予期間が与えられる場合には、eNBはその時間内にスペクトル解放のための諸段階を完了させる。このプロセスの一つの段階は、LSA帯域を通じて接続されている諸LTEユーザー装置（UE）をLTE事業者の一次LTE帯域に移すまたはハンドオーバーすることである。この集団ハンドオーバーは潜在的に、数百ものUEを事業者の一次LTE帯域に同時に移すことに関わることがある。
【００１５】
現行の3GPP仕様におけるハンドオーバー機構は、集団ハンドオーバー・シナリオのためには設計されていない。修正なしでは、現行のハンドオーバー機構は、LSA帯域が解放されるときに、電波アクセス・ネットワークにおける空中信号伝達（over-the-air  singaling）の非常に突然で大きなスパイクを生成する。図１〜図６は、取るに足りない信号伝達オーバーヘッドをもつ、LSA帯域からのUEのなめらかなハンドオーバーのためのさまざまなハンドオーバー信号伝達機構を詳述している。影響を受けるUEの全部または大半が同じ物理セルおよび一次帯域スペクトル内で移行するために、各UEへの現行の個別のハンドオーバー・メッセージング（および関連するオーバーヘッド）ではなく、ハンドオーバー・プロセスについての共通のパラメータを伝達するために、ブロードキャスト・メッセージングが使われる。開示される装置および方法は、eNBが、諸UEから個々のハンドオーバー完了メッセージを受信することなく、集団ハンドオーバー・プロセスを完了することを許容し、このことも、関連する空中信号伝達オーバーヘッドを有意に軽減する。
【００１６】
図１は、セルラー・ネットワークにおける動的なLSA周波数共有の例を示す高レベルのブロック図を示している。図１は、矢印１０４において追加的なLSAスペクトル帯域１０６からスペクトルを受け取り、追加的なLSAスペクトル帯域１０６にスペクトルを返す一次（レガシー）帯域１０２を含むシステム１００の例を描いている。一次帯域１０２は、時分割複信（TDD:  Time  Division  Duplexing）帯域１０８または周波数分割複信（FDD:  Frequency  Division  Duplexing）帯域１１０を含みうる。追加的なLSAスペクトル帯域１０６からの追加的なスペクトルもTDDまたはFDD帯域でありうる。
【００１７】
図２は、例示的な伝統的なライセンスされた共有アクセス（LSA）システム２００を示す高レベルの図を示している。伝統的なLSAシステムでは、現有者２０１ａ〜ｃがもとのスペクトル所有者である。LSA貯蔵部〔レポジトリー〕２０３は、スペクトル共有のより短期の側面のスペクトル利用可能性についての情報を含むデータベースである。LSA貯蔵部２０３はLSAコントローラ２０５に通信上結合されており、LSAコントローラ２０５は情報管理を実行し、LSA貯蔵部２０３データベース内容をLSAラインセンシーのためのスペクトル・アクセス条件に変換する。一方、オペレーター・アドミニストレーション・マネジメント（OA&M:  Operator  Administration  &  Management）２０７は、ネットワーク事業者のネットワークについての運用、アドミニストレーションおよびマネジメントを提供する。OA&Mは、ユーザー装置２１１にサービスする、ネットワーク事業者のeNBまたは基地局２０９ａ〜ｂのために限られた短期の追加的スペクトルを管理する。
【００１８】
図３は、いくつかの例示的実施形態に基づく、UEによるライセンスされた共有アクセス３００のための短縮されるハンドオーバー遅延のための方法３００を示す高レベルの概観フローチャートである。LSA帯域が利用不能になったときにUEを一次LTE帯域に戻すための改善された信号伝達機構が提供される。これは、伝統的に生成される大量の空中トラフィックならびにユーザーが経験する付随するハンドオフ遅延を低減する。
【００１９】
3GPP規格における現行のハンドオーバー機構は、スペクトル解放ハンドオフ・シナリオに適用されると、eNB  ２０９がLSA帯域１０６を解放するよう指令されたときに、空中信号伝達の突然のサージを引き起こす。eNB  ２０９が個別の「RRConnectionReconfiguration」〔RR接続再構成〕メッセージを、LSA帯域１０６で動作しているUE  ２１１のそれぞれに送信するからである。次いで、これらのUE  ２１１のそれぞれが、ハンドオーバー完了後に、「RRConnectionReconfigurationComplete」〔RR接続再構成完了〕メッセージを送信する。潜在的には数百のUE  ２１１がこの集団ハンドオーバーに関わることがあり、結果として、非常に高い空中信号伝達サージにつながる。改善された信号伝達機構は、eNB  ２０９と影響を受けるUE  ２１１との間の個別のハンドオーバー・メッセージング交換を防ぐことによって、この空中信号伝達サージを有意に低減する。
【００２０】
多数のUEが同じ物理セルにおいて同時に同じスペクトル帯域に移行するため、数百もの個々のメッセージを送信し、それぞれについて受け取り確認を受信するのではなく、ハンドオーバー信号をブロードキャストすることによって、かなりの量の信号伝達オーバーヘッドが節約できる。移動性〔モビリティー〕管理エンティティ（MME:  Mobility  Management  Entity）は集団ハンドオーバー・メッセージをeNB  ２０９に送信して、複数のUE  ２１１の、LSA帯域１０６から一次帯域１０２への集団ハンドオーバーを指令する。現行のX2プロトコル・ベースのハンドオーバー信号伝達ではなく、この集団ハンドオーバー・メッセージは、eNB  ２０９に、諸UE  ２１１をLSA帯域１０６から一次帯域１０２にハンドオーバーするために、新規のLSA固有の機構を利用するよう指令する。この新規のLSA固有の機構は、同じeNB  ２０９において共に位置している（collocated）二つのセルを通じて、一次LTE帯域とLSA帯域が効果的に利用される、新たな型のセル間ハンドオーバーを定義する。
【００２１】
eNB  ２０９がこの集団ハンドオーバー要求を受信すると、現行の個別のハンドオーバー・メッセージ（すなわち、「mobilityControlInfo」〔移動性制御情報〕を含む「RRConnectionReconfiguration」メッセージ）をLSA帯域１０６における接続されているUE  ２１１に送信する代わりに、eNB  ２０９はLSA帯域１０６においてページング・メッセージをブロードキャストして、これらのUE  ２１１に一次帯域１０２に移行するよう指令する。新規のシステム情報ブロック（SIB:  system  information  block）は、諸UE  ２１１が一次帯域１０２に戻るための共通のパラメータをブロードキャストする。SIBは、UE  ２１１がページング・メッセージ・アラートを受信した後に、UE  ２１１によってパースされる。SIBは、ページング・メッセージに続いて送信されてもよく、LSAスペクトル解放が完了するまで、冗長性のために最小限、反復されてもよい。eNB  ２０９は、典型的には、ハンドオーバーを完了し、LSA帯域１０６を解放するために、小さな時間窓（すなわち猶予期間）を許されるであろう。LSAのための短縮ハンドオーバー遅延のための例示的な方法は、動作３０２〜３０８において詳述される。
【００２２】
動作３０２では、UEは、該UEにLSA帯域から一次LTE帯域に移行するよう指令する、LSA帯域におけるブロードキャストされたページング・メッセージを受信する。ページング・メッセージは、LSA-Handover-Needed〔LSAハンドオーバーが必要〕指示を含んでいてもよい。制御は動作３０４に進む。
【００２３】
動作３０４では、UEは、一次LTE帯域に関係した情報を含むシステム情報ブロック（SIB）を受信する。一次LTE帯域に関係した情報を伝達することに専用の新規のSIB、SIB  17は、UEが一次帯域に接続し直すために必要とされうる追加的なパラメータ（単数または複数）があればそれも含む。SIB  17は、ページング・メッセージが送信されたあとにはじめてブロードキャストのためにスケジュールされ、LSAスペクトル解放が完了するまで、冗長性のために反復されてもよい。動作３０２におけるページング・メッセージの受信に際し、UEは動作３０４においてSIB17をさがし、SIB17が存在すれば、動作３０６において、ハンドオーバー・パラメータを取得して、一次LTE帯域に移行する。
【００２４】
動作３０６では、UEは、SIB17から、一次LTE帯域に関連する情報を読む。UEは、先にそのeNBによって通信されていた可能性のある、関連する記憶された情報を取り出してもよい。制御は動作３０８に進む。
【００２５】
動作３０８では、UEは、LSA帯域で通信することを停止し、一次LTE帯域に関連付けられたセルと同期する。
【００２６】
図４は、放棄されるLSAスペクトル資源の迫り来る喪失に応答して集団ハンドオフを達成するための信号伝達およびメッセージング機構４００のメッセージング手順の図を描いている。これは、図のようにメッセージM1〜M6を送信および受信するよう構成されたeNB  ２０９によって実行される。MME  ４０２は、LSA帯域スペクトルを放棄するようにというメッセージM1  ４０６における「LSAからのハンドオーバー要求」指令を発する。指令M1  ４０６は、eNB  ２０９のカバー範囲におけるLSA帯域の利用不能が迫り来ることを示すトリガーをeNB  ２０９において生成する。eNB  ２０９は、LSA帯域においてページング・メッセージM2  ４０８をブロードキャストして、諸UE  ２１１にLSA帯域から一次LTE帯域に移行するよう指令する。更新されたページング・メッセージM2  ４０８は、LSA周波数帯域資源の喪失のためハンドオーバーが強制されることを示す新規のフィールドlsaHandoverNeeded〔LSAハンドオーバー必要〕を含む。更新されたページング（paging）・メッセージM2  ４０８のパラメータ・フィールドを表１に示す。
【００２７】
【表１】
0006339237.tif 000002
ページング・メッセージM2  ４０８を送ったのち、eNB  ２０９はSIB17を含むメッセージM3  ４１０においてそのLTE一次帯域のためのハンドオーバー・パラメータをブロードキャストし、「LSAからのハンドオーバー」タイマーT1  ４０４を開始する。このタイマーは、LSA帯域内の諸UE  ２１１が自らのハンドオーバーを完了させるためにeNB  ２０９が許容するある待ち期間後に満了する。UE  ２１１がLSA帯域上で通信するのをやめ、LTE一次帯域と同期したとき、UE  ２１１は同期およびランダム・アクセス（RACH）メッセージM4  ４１２をeNB  ２０９に送信する。eNB  ２０９は、UE  ２１１が一次帯域でeNB  ２０９と通信を確立したことを示すランダム・アクセス応答メッセージM5  ４１４をもって返信する。UE  ２１１による集団LSAハンドオーバーの完了は、該UEのeNB  ２０９との手順の成功裏の完了によって指示される。
【００２８】
LSAからのハンドオーバーのタイマーT1  ４０４の期限になると、eNB  ２０９はLSA帯域内のいずれかのUE  ２１１がRACH手順をうまく完了せず、ハンドオーバーの完了に成功しなかったかどうかを判定する。すると、eNB  ２０９は、3GPP  TS36.331  5.3.5.4節に記載されるように、それらの失敗したUE  ２１１に対して「mobilityControlInfo」をもつ「RRConnectionReconfiguration」メッセージを個々に送信することによって、伝統的なハンドオーバー・プロセスを実施する。
【００２９】
図５は、いくつかの実施形態に基づく例示的な通信局５００の機能図を示している。ある実施形態では、図５は、いくつかの実施形態に基づくeNB  ２０９またはUE  ２１１（図２）として使うのに好適でありうる通信局の機能ブロック図を示している。通信局５００は、ハンドヘルド装置、モバイル装置、携帯電話、スマートフォン、タブレット、ネットブック、無線端末、ラップトップ・コンピュータ、フェムトセル、高データ・レート（HDR）加入者局、アクセスポイント、アクセス端末または他のパーソナル通信システム（PCS）装置として使うのに好適であってもよい。
【００３０】
通信局５００は、一つまたは複数のアンテナ５０１を使って他の通信局との間で信号を送受信するためのトランシーバー５０１をもつ物理層回路５０２を含んでいてもよい。物理層回路５０２は、無線媒体へのアクセスを制御するための媒体アクセス制御（MAC）回路５０４をも含んでいてもよい。通信局５００は、本稿に記載される動作を実行するよう構成された、処理回路５０６およびメモリ５０８をも含んでいてもよい。いくつかの実施形態では、物理層回路５０２および処理回路５０４は、図３および図４に詳述された動作を実行するよう構成されていてもよい。
【００３１】
いくつかの実施形態によれば、MAC回路５０４は、無線媒体を求めて競争し、該無線媒体を通じて通信するためのフレームまたはパケットを構成するよう構成されていてもよく、物理層回路５０２は信号を送信および受信するよう構成されていてもよい。物理層回路５０２は、変調／復調、上方変換〔アップコンバージョン〕／下方変換〔ダウンコンバージョン〕、フィルタリング、増幅などのための回路を含んでいてもよい。いくつかの実施形態では、通信局５００の処理回路５０６は一つまたは複数のプロセッサを含んでいてもよい。いくつかの実施形態では、二つ以上のアンテナ５０１が、信号を送信および受信するよう構成された物理層回路５０２に結合されていてもよい。メモリ５０８は、メッセージ・フレームを構成して送信し、本稿に記載されるさまざまな動作を実行するための動作を実行するよう処理回路５０６を構成するための情報を記憶していてもよい。メモリ５０８は、機械（たとえばコンピュータ）によって読み取り可能な形で情報を記憶するための非一時的媒体を含むいかなる型のメモリであってもよい。たとえば、コンピュータ可読記憶デバイスは、読み出し専用メモリ（ROM）、ランダム・アクセス・メモリ（RAM）、磁気ディスク記憶媒体、光記憶媒体、フラッシュ・メモリ・デバイスおよび他の記憶デバイスおよび媒体を含んでいてもよい。
【００３２】
いくつかの実施形態では、通信局５００は、携帯情報端末（PDA）、無線通信機能をもつラップトップもしくはポータブル・コンピュータ、ウェブ・タブレット、無線電話、スマートフォン、無線ヘッドセット、ポケベル、インスタント・メッセージング装置、デジタル・カメラ、アクセスポイント、テレビ、医療装置（たとえば、心拍モニター、血圧モニターなど）または無線で情報を受信および／または送信しうる他の装置といった、ポータブルな無線通信装置の一部であってもよい。
【００３３】
いくつかの実施形態では、通信局５００は、一つまたは複数のアンテナ５０１を含んでいてもよい。アンテナ５０１は、たとえばダイポール・アンテナ、モノポール・アンテナ、パッチ・アンテナ、ループ・アンテナ、マイクロストリップ・アンテナまたはRF信号の送信のために好適な他の型のアンテナを含む、一つまたは複数の指向性もしくは無指向性アンテナを含みうる。いくつかの実施形態では、二つ以上のアンテナの代わりに、複数の開口〔アパーチャ〕をもつ単一のアンテナが使われてもよい。これらの実施形態において、各開口が別個のアンテナと考えられてもよい。いくつかの複数入力複数出力（MIMO）実施形態では、空間的ダイバーシチならびに各アンテナと送信局のアンテナとの間で帰結しうる異なるチャネル特性を活用するために、アンテナは効果的に分離されてもよい。
【００３４】
いくつかの実施形態では、通信局５００は、キーボード、ディスプレイ、不揮発性メモリ・ポート、複数アンテナ、グラフィック・プロセッサ、アプリケーション・プロセッサ、スピーカーおよび他のモバイル装置要素を含んでいてもよい。ディスプレイは、タッチスクリーンを含むLCDスクリーンであってもよい。
【００３５】
通信局５００はいくつかの別個の機能要素をもつものとして示されているが、それらの機能要素の二つ以上が組み合わされてもよく、ソフトウェア構成された要素、たとえばデジタル信号プロセッサ（DSP）を含む処理要素および／またはハードウェア要素の組み合わせによって実装されてもよい。たとえば、いくつかの要素は、一つまたは複数のマイクロプロセッサ、DSP、フィールド・プログラマブル・ゲート・アレイ（FPGA）、特定用途向け集積回路（ASIC）、電波周波数集積回路（RFIC）および少なくとも本稿に記載される機能を実行するためのさまざまなハードウェアおよび論理回路の組み合わせを含んでいてもよい。いくつかの実施形態では、通信局５００の機能要素は、一つまたは複数の処理要素上で動作する一つまたは複数のプロセスを指してもよい。
【００３６】
実施形態は、ハードウェア、ファームウェアおよびソフトウェアの一つまたは組み合わせで実装されてもよい。実施形態は、コンピュータ可読記憶デバイス上に記憶された命令であって、本稿に記載される動作を実行するために少なくとも一つのプロセッサによって読まれ、実行されうるものとして実装されてもよい。コンピュータ可読記憶デバイスは、機械（たとえばコンピュータ）によって読み出し可能な形で情報を記憶するための任意の非一時的なメモリ機構を含みうる。たとえば、コンピュータ可読記憶デバイスは、読み出し専用メモリ（ROM）、ランダム・アクセス・メモリ（RAM）、磁気ディスク記憶媒体、光記憶媒体、フラッシュ・メモリ・デバイスおよび他の記憶デバイスおよび媒体を含んでいてもよい。いくつかの実施形態では、通信局  ５００は一つまたは複数のプロセッサを含んでいてもよく、コンピュータ可読記憶デバイス・メモリ５０８に記憶された命令をもって構成されてもよい。
【００３７】
図６は、本稿で論じられる技法（たとえば方法論）の任意の一つまたは複数が実行されうるもう一つの例示的な機械６００のブロック図を示す。代替的な諸実施形態において、機械６００は、スタンドアローン装置として動作してもよく、あるいは他の機械に接続（たとえばネットワーク接続）されてもよい。ネットワーク接続された展開では、機械６００は、サーバー‐クライアント・ネットワーク環境において、サーバー機械、クライアント機械または両方の役割で動作してもよい。一例では、機械６００はピアツーピア（P2P）（または他の分散式）ネットワーク環境におけるピア機械として作用してもよい。機械６００は、パーソナル・コンピュータ（PC）、タブレットPC、セットトップボックス（STB）、携帯情報端末（PDA）、携帯電話、ウェブ機器、ネットワーク・ルーター、スイッチもしくはブリッジまたはその機械が取るべきアクションを指定する命令（シーケンシャルでもそうでなくてもよい）を実行することのできる任意の機械、たとえば基地局でありうる。さらに、単一の機械しか示されていないが、用語「機械」は、クラウド・コンピューティング、サービスとしてのソフトウェア（SaaS）、他のコンピュータ・クラスター構成のような、本稿で論じられる方法論の任意の一つまたは複数を実行するための命令の組（または複数組）を個々にまたは合同して実行する機械の任意の集合をも含むと解釈される。
【００３８】
本稿に記載される例は、論理またはいくつかのコンポーネント、モジュールまたは機構を含んでいてもよく、あるいはその上で動作してもよい。モジュールは、動作するときに指定された動作を実行できる有体のエンティティ（たとえばハードウェア）である。モジュールはハードウェアを含む。一例では、ハードウェアは、特定の動作を実行するために特定的に構成（たとえば結線）されていてもよい。別の例では、ハードウェアは、構成可能な実行ユニット（たとえば、トランジスタ、回路など）と、命令を含むコンピュータ可読媒体とを含んでいてもよい。ここで、命令は、動作中に特定の動作を実行するよう実行ユニットを構成する。構成することは、実行ユニットまたはロード機構の指揮のもとで行なわれてもよい。よって、実行ユニットは、装置が動作しているとき、コンピュータ可読媒体に通信上結合される。この例では、実行ユニットは二つ以上のモジュールのメンバーであってもよい。たとえば、動作中、実行ユニットは、ある時点においては第一のモジュールを実装するよう第一の組の命令によって構成されてもよく、第二のモジュールを実装するよう第二の組の命令によって構成し直されてもよい。
【００３９】
機械（たとえばコンピュータ・システム）６００は、ハードウェア・プロセッサ６０２（たとえば中央処理ユニット（CPU）、グラフィック処理ユニット（GPU）、ハードウェア・プロセッサ・コアまたはそれらの任意の組み合わせ）、メイン・メモリ６０４および静的メモリ６０６を含んでいてもよく、その一部または全部がインターリンク（たとえばバス）６０８を介して互いと通信してもよい。機械６００はさらに、電力管理装置６３２、グラフィック表示装置６１０、英数字入力装置６１２（たとえばキーボード）およびユーザー・インターフェース（UI）ナビゲーション装置６１４（たとえばマウス）を含んでいてもよい。一例では、グラフィック表示装置６１０、英数字入力装置６１２およびUIナビゲーション装置６１４はタッチスクリーン・ディスプレイであってもよい。機械６００はさらに、記憶デバイス（たとえばドライブ・ユニット）６１６、信号生成装置６１８（たとえばスピーカー）、アンテナ（単数または複数）６３０に結合されたネットワーク・インターフェース装置／トランシーバー６２０および一つまたは複数のセンサー６２８、たとえば全地球測位システム（GPS）センサー、コンパス、加速度計または他のセンサーを含んでいてもよい。機械６００は、一つまたは複数の周辺装置（たとえばプリンター、カード・リーダーなど）を通信または制御するための、シリアル（たとえばユニバーサル・シリアル・バス（USB））、パラレルまたは他の有線もしくは無線（たとえば赤外線（IR）、近距離場通信（NFC）など）の接続のような出力コントローラ６３４を含んでいてもよい。
【００４０】
記憶デバイス６１６は、本稿に記載される技法または機能の任意の一つまたは複数を具現するまたはそれによって利用されるデータ構造または命令６２４（たとえばソフトウェア）の一つまたは複数の集合が記憶されている機械可読媒体６２２を含んでいてもよい。命令６２４は、機械６００によるその実行の間、完全にまたは少なくとも部分的に、メイン・メモリ６０４内、静的メモリ６０６内またはハードウェア・プロセッサ６０２内に存在してもよい。一例では、ハードウェア・プロセッサ６０２、メイン・メモリ６０４、静的メモリ６０６または記憶デバイス６１６の一つまたは任意の組み合わせが、機械可読媒体をなしうる。
【００４１】
機械可読媒体６２２は単一の媒体として示されているが、用語「機械可読媒体」は、一つまたは複数の命令６２４を記憶するよう構成された単一の媒体または複数の媒体（たとえば、中央集中化されたまたは分散されたデータベースおよび／または関連するキャッシュおよびサーバー）を含みうる。
【００４２】
用語「機械可読媒体」は、機械６００による実行のための命令を記憶、エンコードまたは担持することができ、機械６００に本開示の技法の任意の一つまたは複数を実行させる、あるいはそのような命令によって使用されるもしくはそのような命令と関連付けられているデータ構造を記憶、エンコードまたは担持することのできる任意の媒体を含みうる。限定しない幾何可読媒体の例は、半導体メモリおよび光学式および磁気式媒体を含みうる。限定しない機械可読媒体の例は、半導体メモリおよび光媒体および磁気媒体を含みうる。一例では、集団化された機械可読媒体は、静止質量をもつ複数の粒子をもつ機械可読媒体を有する。集団化された機械可読媒体の具体例は、半導体メモリ・デバイス（たとえば、電気的にプログラム可能な読み出し専用メモリ（EPROM）または電気的に消去可能なプログラム可能型読み出し専用メモリ（EEPROM））およびフラッシュ・メモリ・デバイス；内蔵ハードディスクおよびリムーバブル・ディスクといった磁気ディスク；光磁気ディスク；およびCD-ROMおよびDVD-ROMディスクといった不揮発性メモリを含みうる。
【００４３】
命令６２４はさらに、いくつもある転送プロトコル（たとえば、フレーム・リレー、インターネット・プロトコル（IP）、伝送制御プロトコル（TCP）、ユーザー・データグラム・プロトコル（UDP）、ハイパーテキスト転送プロトコル（HTTP）など）の任意の一つを利用して、ネットワーク・インターフェース装置／トランシーバー６２０を介して伝送媒体を使って通信ネットワーク６２６を通じて送信または受信されてもよい。例示的な通信ネットワークは、他にもあるが、ローカル・エリア・ネットワーク（LAN）、広域ネットワーク（WAN）、パケット・データ・ネットワーク（たとえばインターネット）、携帯電話ネットワーク（たとえばセルラー・ネットワーク）、従来式電話（POTS）ネットワークおよび無線データ・ネットワーク（たとえば、Wi-Fi（登録商標）として知られる米国電気電子技術者協会（IEEE）802.11ファミリーの規格、WiMax（登録商標）として知られるIEEE802.16ファミリーの規格）、IEEE802.15.4ファミリーの規格、ピアツーピア（P2P）ネットワークなどを含みうる。一例では、ネットワーク・インターフェース装置／トランシーバー６２０は、通信ネットワーク６２６に接続するための、一つまたは複数の物理的なジャック（たとえば、イーサネット〔登録商標〕、同軸または電話ジャック）または一つまたは複数のアンテナを含んでいてもよい。一例では、ネットワーク・インターフェース装置／トランシーバー６２０は、単一入力複数出力（SIMO）、複数入力複数出力（MIMO）または複数入力単一出力（MISO）技法のうちの少なくとも一つを使って無線で通信するために、複数のアンテナを含んでいてもよい。用語「伝送媒体」は、機械６００による実行のための命令を記憶、エンコードまたは搬送できる任意の有体でない媒体を含むと解釈され、そのようなソフトウェアの通信を容易にするデジタルもしくはアナログ通信信号または他の非有体媒体を含む。
【００４４】
ある実施形態では、ユーザー装置（UE）は、ライセンスされた共有アクセス（LSA）周波数帯域において、該UEにLSA周波数帯域から一次ロングタームエボリューション（LTE）周波数帯域に移行するよう指令するブロードキャスト・ページング・メッセージを受信し、一次LTE周波数帯域情報を含むシステム情報を受信し、受信したシステム情報から、一次LTE周波数帯域に移行するためのハンドオーバー・パラメータを抽出し、LSA周波数帯域での通信を停止し、一次LTE周波数帯域に関連付けられた進化型ノードB（eNB）と通信を同期させるよう構成されたトランシーバーを有する。
【００４５】
もう一つの実施形態では、進化型ノードB（eNB）が、複数の同時ハンドオフを実行するよう構成される。該eNBは、移動性管理エンティティ（MME）から、LSAからのハンドオーバーの要求を担持するメッセージを受信し、受信されたLSAからのハンドオーバー要求メッセージに応答して、LSAからのハンドオーバーのページング・メッセージM2を諸LSA周波数帯域で通信しているユーザー装置（UE）にブロードキャストし、LSA周波数帯域で通信しているユーザー装置（UE）に、一次LTE周波数帯域情報を含むシステム情報を担持するメッセージM3をブロードキャストし、LSAからのハンドオーバーのタイマーT1を開始し、UEが一次LTE帯域でeNBとの通信を確立したことを示すランダム・アクセス応答（RACH）メッセージM4を受信する、物理層回路および処理要素を有する。
【００４６】
さらにもう一つの実施形態では、非一時的なコンピュータ可読記憶デバイスが、その上に記憶された命令を含み、該命令は、機械によって実行されたときに、該機械に、ライセンスされた共有アクセス（LSA）周波数帯域において、UEにLSA周波数帯域から一次ロングタームエボリューション（LTE）周波数帯域に移行するよう指令するブロードキャスト・ページング・メッセージを受信し、一次LTE周波数帯域情報を含むシステム情報を受信し、受信したシステム情報から、一次LTE周波数帯域に移行するためのハンドオーバー・パラメータを抽出し、LSA周波数帯域での通信を停止し、一次LTE周波数帯域に関連付けられた進化型ノードB（eNB）と通信を同期させる動作を実行させる。
【図１】
0006339237.tif 000003
【図２】
0006339237.tif 000004
【図３】
0006339237.tif 000005
【図４】
0006339237.tif 000006
【図５】
0006339237.tif 000007
【図６】
0006339237.tif 000008